【手続補正書】
【提出日】平成18年5月24日(2006.5.24)
【手続補正１】
【補正対象書類名】明細書
【補正対象項目名】発明の名称
【補正方法】変更
【補正の内容】
【発明の名称】カメラおよびブレ状態に関する情報の告知方法
【手続補正２】
【補正対象書類名】明細書
【補正対象項目名】特許請求の範囲
【補正方法】変更
【補正の内容】
【特許請求の範囲】
【請求項１】  手ブレ検出可能なカメラにおいて、
カメラのブレ状態を検出してブレ量の演算を行うブレ検出・演算部と、
上記ブレ検出・演算部の出力に基づいて、ブレによる画像の劣化を軽減するブレ軽減部と、
上記ブレ検出・演算部の出力に基づいてカメラに発生しているブレ状態に関する情報を告知する告知部と、
少なくとも、上記告知部による告知を行う告知モードと、上記ブレ軽減部によるブレ軽減動作を行うと共に、上記告知部による告知を行う告知ブレ軽減モードと、を選択的に設定可能なモード設定部と、
を具備し、上記告知部は、上記告知モードが設定されている場合と、上記告知ブレ軽減モードが設定されている場合とで、異なる告知形態で告知することを特徴とするカメラ。
【請求項２】  上記告知部は、カメラに発生しているブレが所定の判定値以上の場合に告知を行い、
上記告知モードが設定された場合は、上記告知ブレ軽減モードが設定された場合に比して、上記判定値が小さいことを特徴とする請求項１に記載のカメラ。
【請求項３】  上記告知部は、カメラに発生しているブレ状態に関する情報を所定の時間間隔で更新して告知を行い、
上記告知モードが設定された場合は、上記告知ブレ軽減モードが設定された場合に比して告知の更新周期が短いことを特徴とする請求項１に記載のカメラ。
【請求項４】  上記モード設定部は、更に、上記告知部による告知を行わず、上記ブレ軽減部によるブレ軽減動作を行うブレ軽減モードを選択的に設定可能であり、
上記ブレ軽減モードが設定されている場合は、上記告知部によるブレの告知を行わないことを特徴とする請求項１に記載のカメラ。
【請求項５】  手ブレ検出可能なカメラにおいて、
カメラのブレ状態を検出してブレ量の演算を行うブレ検出・演算部と、
上記ブレ検出・演算部の出力に基づいて、ブレによる画像の劣化を軽減するブレ軽減部と、
上記ブレ検出・演算部の出力に基づいてカメラに発生しているブレ状態に関する情報を告知する告知部と、
上記ブレ軽減部を動作状態とするか否かを設定可能なモード設定部と、
を具備し、上記告知部による告知は、上記ブレ軽減部が動作状態に設定されている場合と、動作状態に設定されていない場合とで、異なる告知形態で告知することを特徴とするカメラ。
【請求項６】  上記告知部は、カメラに発生しているブレが所定の判定値以上の場合に告知を行い、
上記ブレ軽減部が動作状態に設定されていない場合は、上記ブレ軽減部が動作状態に設定された場合に比して、上記判定値が小さいことを特徴とする請求項５に記載のカメラ。
【請求項７】  上記告知部は、カメラに発生しているブレ状態に関する情報を所定の時間間隔で更新して告知を行い、
上記ブレ軽減部が動作状態に設定されていない場合は、上記ブレ軽減部が動作状態に設定された場合に比して告知の更新周期が短いことを特徴とする請求項５に記載のカメラ。
【請求項８】  手ブレ検出可能なカメラにおいて、
カメラのブレ状態を検出してブレ量の演算を行うブレ検出・演算部と、
上記ブレ検出・演算部の出力に基づいて、ブレによる画像の劣化を軽減するブレ軽減部と、
上記ブレ検出・演算部の出力に基づいてカメラに発生しているブレ状態が所定の判定値よりも大きい場合に、カメラに発生しているブレ状態に関する情報を告知する告知部と、
上記ブレ軽減部を動作状態とするか否かを設定可能なモード設定部と、
を具備し、上記ブレ軽減部が動作状態に設定されている場合と、動作状態に設定されていない場合とで上記判定値が異なることを特徴とするカメラ。
【請求項９】  カメラのブレ状態に関する情報の告知方法において、
カメラのブレ状態を検出してブレ量の演算を行い、
ブレによる画像の劣化を軽減するブレ軽減部が動作状態に設定されているか否かに応じて判定値を変更し、
上記カメラのブレ状態を上記判定値と比較し、
上記カメラのブレ状態が上記判定値よりも大きい場合に、上記カメラのブレ状態に関する情報を告知することを特徴とするカメラのブレ状態に関する情報の告知方法。
【請求項１０】  カメラのブレ状態に関する情報の告知方法において、
カメラのブレ状態を検出してブレ量の演算を行い、
上記カメラのブレ状態を所定の判定値と比較し、
上記カメラのブレ状態が所定の判定値よりも大きい場合に上記カメラのブレ状態に関する情報を告知するさいに、ブレによる画像の劣化を軽減するブレ軽減部が動作状態に設定されているか否かに応じて上記告知の形態を異ならせることを特徴とするカメラのブレ状態に関する情報の告知方法。
【手続補正３】
【補正対象書類名】明細書
【補正対象項目名】００１７
【補正方法】変更
【補正の内容】
【００１７】
また、第５の発明は、手ブレ検出可能なカメラにおいて、カメラのブレ状態を検出してブレ量の演算を行なうブレ検出・演算部と、上記ブレ検出・演算部の出力に基づいて、ブレによる画像の劣化を軽減するブレ軽減部と、上記ブレ検出・演算部の出力に基づいてカメラに発生しているブレ状態に関する情報を告知する告知部と、上記ブレ軽減部を動作状態とするか否かを設定可能なモード設定部と、を具備し、上記告知部による告知は、上記ブレ軽減部が動作状態に設定されている場合と、動作状態に設定されていない場合とで、異なる告知形態で告知する。
【手続補正４】
【補正対象書類名】明細書
【補正対象項目名】００１８
【補正方法】変更
【補正の内容】
【００１８】
また、第６の発明は、第５の発明に係るカメラにおいて、上記告知部は、カメラに発生しているブレが所定の判定値以上の場合に告知を行い、上記ブレ軽減部が動作状態に設定されていない場合は、上記ブレ軽減部が動作状態に設定された場合に比して、上記判定値が小さい。
【手続補正５】
【補正対象書類名】明細書
【補正対象項目名】００１９
【補正方法】変更
【補正の内容】
【００１９】
また、第７の発明は、第５の発明に係るカメラにおいて、上記告知部は、カメラに発生しているブレ状態に関する情報を所定の時間間隔で更新して告知を行い、上記ブレ軽減部が動作状態に設定されていない場合は、上記ブレ軽減部が動作状態に設定された場合に比して告知の更新周期が短い。
【手続補正６】
【補正対象書類名】明細書
【補正対象項目名】００２０
【補正方法】変更
【補正の内容】
【００２０】
また、第８の発明は、手ブレ検出可能なカメラにおいて、カメラのブレ状態を検出してブレ量の演算を行うブレ検出・演算部と、上記ブレ検出・演算部の出力に基づいて、ブレによる画像の劣化を軽減するブレ軽減部と、上記ブレ検出・演算部の出力に基づいてカメラに発生しているブレ状態が所定の判定値よりも大きい場合に、カメラに発生しているブレ状態に関する情報を告知する告知部と、上記ブレ軽減部を動作状態とするか否かを設定可能なモード設定部と、を具備し、上記ブレ軽減部が動作状態に設定されている場合と、動作状態に設定されていない場合とで上記判定値が異なる。
また、第９の発明は、カメラのブレ状態に関する情報の告知方法において、カメラのブレ状態を検出してブレ量の演算を行い、ブレによる画像の劣化を軽減するブレ軽減部が動作状態に設定されているか否かに応じて判定値を変更し、上記カメラのブレ状態を上記判定値と比較し、上記カメラのブレ状態が上記判定値よりも大きい場合に、上記カメラのブレ状態に関する情報を告知する。
また、第１０の発明は、カメラのブレ状態に関する情報の告知方法において、カメラのブレ状態を検出してブレ量の演算を行い、上記カメラのブレ状態を所定の判定値と比較し、上記カメラのブレ状態が所定の判定値よりも大きい場合に上記カメラのブレ状態に関する情報を告知するさいに、ブレによる画像の劣化を軽減するブレ軽減部が動作状態に設定されているか否かに応じて上記告知の形態を異ならせる。
【手続補正７】
【補正対象書類名】明細書
【補正対象項目名】０１８５
【補正方法】変更
【補正の内容】
【０１８５】
【発明の効果】
本発明によれば、ブレ軽減部が動作状態にあるか否かに応じて、適切な告知を行い、ブレ写真を少なくすることが出来る。